(57)【要約】【課題】必要最低限の移動時間を確保しイベントの実行開始や終了時刻を柔軟に設定可能な旅行プラン作成装置、方法、システム、旅行プラン要求端末及びプログラムを提供すること。【解決手段】複数のイベントを組み合わせて旅行プランを作成する旅行プラン作成装置３００を提供する。旅行プラン作成装置３００は、イベントが実行される位置情報が記録されるイベント情報記憶部３２１と、旅行プランに含めるイベントを選択するイベント選択部３３３と、選択されたイベントそれぞれの位置情報に基づいて、イベント間の移動に要すると予測される移動時間長を算出する移動時間算出部３３４と、選択されたイベントを実行するための実行時間帯を設定する実行時間設定部３４１と、算出された移動時間長を表す予測移動時間情報と、設定された実行時間帯を表す実行時間情報とに基づいて、実行時間帯が設定可能であるか否かを判定する判定部３４２と、を有する。【選択図】図１
2009211539.tif 000002
【特許請求の範囲】
【請求項１】
複数のイベントを組み合わせて旅行プランを作成する旅行プラン作成装置であって、
前記イベントが実行される位置を表す位置情報を含むイベント情報が記録されるイベント情報記憶部と、
前記旅行プランに含めるイベントを選択するイベント選択部と、
前記イベント選択部により選択された複数のイベントそれぞれの前記位置情報に基づいて、少なくとも２以上のイベント間の移動に要すると予測される移動時間長を算出する移動時間算出部と、
前記イベント選択部により選択されたイベントを実行するための実行時間帯を設定する実行時間設定部と、
前記移動時間算出部により算出された移動時間長を表す予測移動時間情報と、前記実行時間設定部により設定された実行時間帯を表す実行時間情報とに基づいて、前記実行時間帯が設定可能であるか否かを判定する判定部と、
を有することを特徴とする、旅行プラン作成装置。
【請求項２】
前記イベント設定部により前記旅行プランに含める複数のイベントが選択され、かつ、当該複数のイベントについて前記実行時間設定部により前記実行時間帯が設定された後に、少なくとも、前記実行時間帯を表した実行時間情報と、前記旅行プランに含められた複数のイベントの位置情報とに基づいて、実際にイベント間を移動可能な移動時間帯を設定する移動時間設定部を更に有し、
前記判定部は、前記移動時間設定部により設定された移動時間帯を表す可能移動時間情報と前記実行時間情報とに基づいて、前記実行時間帯が設定可能であるか否かを更に判定することを特徴とする、請求項１に記載の旅行プラン作成装置。
【請求項３】
前記実行時間設定部は、前記実行時間帯が設定可能ではないと前記判定部により判定された場合、前記実行時間帯が設定可能となるように前記実行時間帯を再度設定することを特徴とする、請求項１又は２に記載の旅行プラン作成装置。
【請求項４】
前記実行時間設定部により設定された実行時間帯を調整する実行時間調整部を有し、
前記判定部は、前記実行時間調整部により調整された実行時間帯が設定可能であるか否かを更に判定することを特徴とする、請求項１〜３のいずれかに記載の旅行プラン作成装置。
【請求項５】
前記実行時間設定部により少なくとも１のイベントの実行時間帯が既設定されており、前記イベント選択部により新たなイベントが選択された場合、該新たなイベントと既設定されているイベントとの間の移動時間長を表示画面に表示させる表示制御部を有することを特徴とする、請求項１〜４のいずれかに記載の旅行プラン作成装置。
【請求項６】
前記表示制御部は、前記判定部による判定結果を更に前記表示画面に表示させることを特徴とする、請求項５に記載の旅行プラン作成装置。
【請求項７】
複数のイベントを組み合わせて旅行プランを作成する旅行プラン作成装置と、
前記旅行プラン作成装置にネットワークを介して接続され、前記旅行プラン作成装置に前記旅行プランを作成させる旅行プラン要求端末と、
を有し、
前記旅行プラン作成装置は、
前記イベントが実行される位置を表す位置情報を含むイベント情報が記録されるイベント情報記憶部と、
前記旅行プラン要求端末から取得したイベント選択情報に基づいて、前記旅行プランに含めるイベントを選択するイベント選択部と、
前記イベント選択部により選択された複数のイベントそれぞれの前記位置情報に基づいて、少なくとも２以上のイベント間の移動に要すると予測される移動時間長を算出する移動時間算出部と、
前記旅行プラン要求端末から取得した実行時間設定情報に基づいて、前記イベント選択部により選択されたイベントを実行するための実行時間帯を設定する実行時間設定部と、
前記移動時間算出部により算出された移動時間長を表す予測移動時間情報と、前記実行時間設定部により設定された実行時間帯を表す実行時間情報とに基づいて、前記実行時間帯が設定可能であるか否かを判定する判定部と、
前記移動時間算出部により算出された移動時間長及び前記判定部による判定結果を、前記旅行プラン要求端末の表示画面に表示させる表示制御部と、
を有することを特徴とする、旅行プラン作成システム。
【請求項８】
イベントが実行される位置を表す位置情報を含むイベント情報が記録されるイベント情報記憶部と、イベント選択情報に基づいて、前記旅行プランに含めるイベントを選択するイベント選択部と、前記イベント選択部により選択された複数のイベントそれぞれの前記位置情報に基づいて、少なくとも２以上のイベント間の移動に要すると予測される移動時間長を算出する移動時間算出部と、実行時間設定情報に基づいて、前記イベント選択部により選択されたイベントを実行するための実行時間帯を設定する実行時間設定部と、前記移動時間算出部により算出された移動時間長を表す予測移動時間情報と、前記実行時間設定部により設定された実行時間帯を表す実行時間情報とに基づいて、前記実行時間帯が設定可能であるか否かを判定する判定部と、前記移動時間算出部により算出された移動時間長及び前記判定部による判定結果を、前記旅行プラン要求端末の表示画面に表示させる表示制御部と、を有し、複数のイベントを組み合わせて旅行プランを作成する旅行プラン作成装置に、ユーザの操作に応じた前記イベント選択情報及び前記実行時間設定情報を送信する旅行プラン作成要求送信部と、
前記移動時間算出部により算出された移動時間長及び前記判定部による判定結果を、前記旅行プラン作成装置から受信する旅行プラン受信部と、
前記旅行プラン受信部が受信した前記移動時間長及び前記判定結果を表示する表示部と、
を有することを特徴とする、旅行プラン要求端末。
【請求項９】
コンピュータに、
旅行プランに含めるイベントを選択するイベント選択機能と、
前記イベント選択機能により選択された複数のイベントそれぞれが実行される位置を表す位置情報に基づいて、少なくとも２以上のイベント間の移動に要すると予測される移動時間長を算出する移動時間算出機能と、
前記イベント選択機能により選択されたイベントを実行するための実行時間帯を設定する実行時間設定機能と、
前記移動時間算出機能により算出された移動時間長を表す予測移動時間情報と、前記実行時間設定ステップで設定された実行時間帯を表す実行時間情報とに基づいて、前記実行時間帯が設定可能であるか否かを判定する判定機能と、
を実現させるためのプログラム。
【発明の詳細な説明】
【技術分野】
【０００１】
本発明は、旅行プラン作成装置、旅行プラン作成方法、旅行プラン作成システム、旅行プラン要求端末及びプログラムに関する。
【背景技術】
【０００２】
個人旅行をする旅行者は、その旅行中にどこに泊まり、何を食べ、どこへ行き、どのような交通手段で移動するか等のプランを自ら決定する。しかし、このような個人旅行の旅行プランをたてるには、その旅行地域にある観光地の所在地・移動手段・移動時間・飲食店・催し物の有無・目的地の開場時間帯・観光対象の開催時間帯等の情報を予め調べる必要がある。
【０００３】
近年のインターネットの普及に伴い、各種の情報サイトや経路検索エンジン等を使用することにより、このような情報を手軽に取得することができるようになった。しかし、個々の情報を吟味して、移動時間や開催時間帯等を調整しつつ実際に実現可能な旅行プランをたてることは、依然として旅行者本人が行う必要があり、旅行者の手間は多大であった。
【０００４】
これに対して、自動的に旅行プランを作成する装置として、特許文献１が開示されている。この特許文献１に記載の旅行プラン作成装置では、旅行プランを作成したいユーザは、まず、旅行中に時間を費やす複数のイベントを選択する。その後、旅行プラン作成装置は、この選択された複数のイベントを時系列順に並び替えて旅行プランを作成し、利用者の端末に表示させる。この際、特許文献１に記載の旅行プラン作成装置は、各イベント間の移動時間を含めて、旅行プランを作成する。一方、各イベント間の移動時間や移動手段を検索する装置が、特許文献２に開示されている。この特許文献２に記載の装置は、イベント間の移動時間が最短となる移動手段を検索する。
【０００５】
【特許文献１】特開２００１−１９５４５９号公報
【特許文献２】特開平１１−００２５４０号公報
【発明の開示】
【発明が解決しようとする課題】
【０００６】
しかしながら、上記特許文献１などのような旅行プラン作成装置では、各イベント間には最短の移動時間のみが確保された旅行プランを自動的に作成する。従って、各イベント間に確保される時間間隔はこの最短の移動時間のみを含むこととなるが、旅行者は、必ずしも最短の移動時間でイベント間を移動することを望むとは限られないし、逆に、個人旅行を楽しむ旅行者は、ツアー旅行のように強制的に最短ルートでイベントを回ることを望まない場合が多い。そこで、必要最低限の移動時間を確保しつつ、各イベントの実行開始時刻や終了時刻を旅行者の所望の時刻に柔軟に設定して、旅行プランを作成することが可能な旅行プラン作成装置の開発が希求されていた。
【０００７】
そこで、本発明は、上記問題に鑑みてなされたものであり、本発明の目的とするところは、必要最低限の移動時間を確保しつつ、各イベントの実行開始時刻や終了時刻を柔軟に設定することが可能な、新規かつ改良された旅行プラン作成装置、旅行プラン作成方法、旅行プラン作成システム、旅行プラン要求端末及びプログラムを提供することにある。
【課題を解決するための手段】
【０００８】
上記課題を解決するために、本発明のある観点によれば、複数のイベントを組み合わせて旅行プランを作成する旅行プラン作成装置であって、上記イベントが実行される位置を表す位置情報を含むイベント情報が記録されるイベント情報記憶部と、上記旅行プランに含めるイベントを選択するイベント選択部と、上記イベント選択部により選択された複数のイベントそれぞれの上記位置情報に基づいて、少なくとも２以上のイベント間の移動に要すると予測される移動時間長を算出する移動時間算出部と、上記イベント選択部により選択されたイベントを実行するための実行時間帯を設定する実行時間設定部と、上記移動時間算出部により算出された移動時間長を表す予測移動時間情報と、上記実行時間設定部により設定された実行時間帯を表す実行時間情報とに基づいて、上記実行時間帯が設定可能であるか否かを判定する判定部と、を有することを特徴とする、旅行プラン作成装置が提供される。
【０００９】
この構成によれば、イベント選択部により、旅行プランに含めるイベントを選択することができ、実行時間設定部により、そのイベントを実行するための実行時間帯を設定することができる。イベント選択部により複数のイベントが選択された場合、移動時間算出部により、少なくとも２以上のイベント間の移動に要すると予想される移動時間長を算出することができる。この際、移動時間算出部は、位置情報に基づいて移動時間長を概算する。つまり、この移動時間長は、各イベントの位置情報に基づいて算出される予測値となる。一方、この移動時間長を表す予測移動時間情報を使用して、判定部により、設定されたイベントの実行時間帯が実行可能か否かを判定することができる。この判定の例としては、判定部は、例えば、複数のイベントの実行時間帯間の時間間隔が、移動時間長未満である場合には、実行時間帯が設定不可能であると判定し、移動時間長以上である場合には、実行時間帯が設定可能であると判定してもよい。このように判定部は実行時間帯を設定可能であるか否かを判定するので、実行時間設定部は、実行時間帯を柔軟に設定することができ、かつ、その実行時間帯がイベントを実際に実行可能なように設定されているか否かをユーザ自らが確認せずに済む。また、実際に実行不可能な旅行プランを作成することも防止される。
【００１０】
また、上記イベント設定部により上記旅行プランに含める複数のイベントが選択され、かつ、当該複数のイベントについて上記実行時間設定部により上記実行時間帯が設定された後に、少なくとも、上記実行時間帯を表した実行時間情報と、上記旅行プランに含められた複数のイベントの位置情報とに基づいて、実際にイベント間を移動可能な移動時間帯を設定する移動時間設定部を更に有し、上記判定部は、上記移動時間設定部により設定された移動時間帯を表す可能移動時間情報と上記実行時間情報とに基づいて、上記実行時間帯が設定可能であるか否かを更に判定してもよい。
【００１１】
この構成によれば、イベント設定部により旅行プランに含める複数のイベントが選択され、かつ、複数のイベントについて実行時間設定部により実行時間帯が設定された後に、移動時間設定部により、実際にイベント間を移動可能な移動時間帯を設定することができる。この移動時間帯は、実行時間帯を表した実行時間情報と、そのイベントの位置情報とに基づいて設定され、交通手段等に応じて実際に移動可能な時間帯を表す。そして、この移動時間帯を表す可能移動時間情報を使用して、判定部により、イベントの実行時間帯が設定可能か否かを判定することができる。この判定の例としては、判定部は、例えば、イベントの実行時間帯と移動時間帯とが重畳している場合には、実行時間帯が設定不可能であると判定し、イベントの実行時間帯と移動時間帯とが重畳していない場合には、実行時間帯が設定可能であると判定してもよい。
つまり、実行時間帯を設定する際には、イベント間の移動に必要であると予測される移動時間長が移動時間算出部により算出されて、この移動時間長に基づいて実行時間帯が設定可能か否かが判定部により判定される。一方、実行時間帯が設定された後には、イベント間の移動が実際に可能な移動時間帯が移動時間設定部により設定されて、この移動時間帯に基づいて実行時間帯が設定可能か否かが判定される。なお、移動時間設定部は、移動時間帯を自ら算出したり、他の構成に算出させたりすることができ、この算出結果の移動時間帯を設定する。一般的に、概算の実行時間長を算出するよりも、実際の実行時間帯を算出する方が、処理するデータ量等が多く、より多くの時間を要する。従って、このように、実行時間帯を設定する際には、より速く算出されうる実行時間長に基づいた判定を行い、実行時間帯を設定した後には、実際の実行時間帯を用いて判定を行うことにより、旅行プランを、必要最低限の移動時間を確保しつつ各イベントの実行開始時刻や終了時刻を柔軟に設定し、かつ、より速く作成することができる。
【００１２】
また、上記実行時間設定部は、上記実行時間帯が設定可能ではないと上記判定部により判定された場合、上記実行時間帯が設定可能となるように上記実行時間帯を再度設定してもよい。
この構成によれば、実行時間設定部が一旦設定した実行時間帯が、実際には設定不可能である場合、実行時間設定部により、設定可能なように再度実行時間帯を設定することができる。
【００１３】
また、上記実行時間設定部により設定された実行時間帯を調整する実行時間調整部を有し、上記判定部は、上記実行時間調整部により調整された実行時間帯が設定可能であるか否かを更に判定してもよい。
この構成によれば、実行時間帯調整部は、実行時間帯設定部により設定された実行時間帯を調整することができる。そして、判定部は、その調整後の実行時間帯をも設定可能であるか否かを判定することができる。
【００１４】
また、上記実行時間設定部により少なくとも１のイベントの実行時間帯が既設定されており、上記イベント選択部により新たなイベントが選択された場合、該新たなイベントと既設定されているイベントとの間の移動時間長を表示画面に表示させる表示制御部を有してもよい。
この構成によれば、１のイベントの実行時間帯が既設定されており、イベント選択部により新たなイベントが選択された場合、表示制御部により、新たなイベントと既設定のイベントとの間の移動時間長を表示画面に表示させることができる。従って、ユーザは、表示された移動時間長を考慮しつつ、新たなイベントの実行時間帯を設定させることができる。
【００１５】
また、上記表示制御部は、上記判定部による判定結果を更に上記表示画面に表示させてもよい。
この構成によれば、表示制御部により、判定部による判定結果を表示画面に表示させることができる。従って、ユーザは、設定された実行時間帯が設定可能であるか否かをその判定結果から知ることができる。
【００１６】
また、上記課題を解決するために、本発明の別の観点によれば、複数のイベントを組み合わせて旅行プランを作成する旅行プラン作成装置と、上記旅行プラン作成装置にネットワークを介して接続され、上記旅行プラン作成装置に上記旅行プランを作成させる旅行プラン要求端末と、を有し、上記旅行プラン作成装置は、上記イベントが実行される位置を表す位置情報を含むイベント情報が記録されるイベント情報記憶部と、上記旅行プラン要求端末から取得したイベント選択情報に基づいて、上記旅行プランに含めるイベントを選択するイベント選択部と、上記イベント選択部により選択された複数のイベントそれぞれの上記位置情報に基づいて、少なくとも２以上のイベント間の移動に要すると予測される移動時間長を算出する移動時間算出部と、上記旅行プラン要求端末から取得した実行時間設定情報に基づいて、上記イベント選択部により選択されたイベントを実行するための実行時間帯を設定する実行時間設定部と、上記移動時間算出部により算出された移動時間長を表す予測移動時間情報と、上記実行時間設定部により設定された実行時間帯を表す実行時間情報とに基づいて、上記実行時間帯が設定可能であるか否かを判定する判定部と、上記移動時間算出部により算出された移動時間長及び上記判定部による判定結果を、上記旅行プラン要求端末の表示画面に表示させる表示制御部と、を有することを特徴とする、旅行プラン作成システムが提供される。
【００１７】
また、上記課題を解決するために、本発明の別の観点によれば、イベントが実行される位置を表す位置情報を含むイベント情報が記録されるイベント情報記憶部と、イベント選択情報に基づいて、上記旅行プランに含めるイベントを選択するイベント選択部と、上記イベント選択部により選択された複数のイベントそれぞれの上記位置情報に基づいて、少なくとも２以上のイベント間の移動に要すると予測される移動時間長を算出する移動時間算出部と、実行時間設定情報に基づいて、上記イベント選択部により選択されたイベントを実行するための実行時間帯を設定する実行時間設定部と、上記移動時間算出部により算出された移動時間長を表す予測移動時間情報と、上記実行時間設定部により設定された実行時間帯を表す実行時間情報とに基づいて、上記実行時間帯が設定可能であるか否かを判定する判定部と、上記移動時間算出部により算出された移動時間長及び上記判定部による判定結果を、上記旅行プラン要求端末の表示画面に表示させる表示制御部と、を有し、複数のイベントを組み合わせて旅行プランを作成する旅行プラン作成装置に、ユーザの操作に応じた上記イベント選択情報及び上記実行時間設定情報を送信する旅行プラン作成要求送信部と、上記移動時間算出部により算出された移動時間長及び上記判定部による判定結果を、上記旅行プラン作成装置から受信する旅行プラン受信部と、上記旅行プラン受信部が受信した上記移動時間長及び上記判定結果を表示する表示部と、を有することを特徴とする、旅行プラン要求端末が提供される。
【００１８】
また、上記課題を解決するために、本発明の別の観点によれば、コンピュータに、旅行プランに含めるイベントを選択するイベント選択機能と、上記イベント選択機能により選択された複数のイベントそれぞれが実行される位置を表す位置情報に基づいて、少なくとも２以上のイベント間の移動に要すると予測される移動時間長を算出する移動時間算出機能と、上記イベント選択機能により選択されたイベントを実行するための実行時間帯を設定する実行時間設定機能と、上記移動時間算出機能により算出された移動時間長を表す予測移動時間情報と、上記実行時間設定ステップで設定された実行時間帯を表す実行時間情報とに基づいて、上記実行時間帯が設定可能であるか否かを判定する判定機能と、を実現させるためのプログラムが提供される。
【発明の効果】
【００１９】
以上説明したように本発明によれば、必要最低限の移動時間を確保しつつ、各イベントの実行開始時刻や終了時刻を柔軟に設定することができる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
＜第１実施形態に係る旅行プラン作成システムの構成＞
まず、図１を参照しつつ、本発明の第１実施形態に係る旅行プラン作成システムの構成について説明する。図１は、本発明の第１実施形態に係る旅行プラン作成システムの構成について説明する説明図である。
【００２２】
図１に示すように、本実施形態に係る旅行プラン作成システム１００は、旅行プラン要求端末２００と、旅行プラン作成装置３００と、移動時間検索サーバ５００とを有する。
【００２３】
この旅行プラン作成システム１００は、ユーザによる所定の操作に応じて、旅行プランを作成する。ここで言う「旅行プラン」とは、例えば、１又は２以上のイベントが時系列に沿って並べられた予定表・タイムスケジュール・計画表などを意味する。つまり、旅行プランは、「あるイベントを何時から何時まで実行する」という情報を、所定の期間（旅行期間）中に設定されている１又は２以上のイベント毎に有しており、ユーザが旅行中の行動時に参照するためのものである。本実施形態に係る旅行プラン作成システム１００は、この旅行プランとして、各イベント間の移動時間等をも考慮した旅行プランを作成する。なお、この旅行プランは、ユーザの行動に指針を与えるものであり、ユーザの行動を束縛するものではない。この旅行プラン作成システム１００は、旅行プランを作成することを目的としており、作成された旅行プランは実際に実行される必要はない。更に言えば、この旅行プランを作成するユーザと、実際の旅行プランを実行するユーザとは別人であってもよい。
【００２４】
また、説明の便宜上、旅行プランが作成される期間におけるユーザの行動目的を「旅行」と言うが、厳密な意味での旅行に限定されるものではなく、例えば出張・帰郷・外出など様々な目的をも含むものとし、旅行プランには、ユーザの通常の行動範囲（例えば居所・勤め先・よく訪れる地域やその近傍）の外部だけでなく、その内部における計画等をも含まれるものとする。つまり、旅行プランには、例えば、単なる近郊への外出時の予定表も含まれる。
【００２５】
更に、ここで言う「イベント」は、例えば、旅行中にユーザが滞在・参加・鑑賞・実行等するための、場所・出来事・行事・催し物・行動などを意味する。イベントとしては、例えば、コンサートやスポーツや催し物を見ることやその実行、名所や景勝や観光地への訪問、宿泊施設などへの宿泊、会合への参加、飲食店などでの食事、観光用乗り物に乗ることなどが挙げられる。しかし、イベントはここで挙げた例に限定されるものではなく、ユーザが所定の場所で実行可能であり、その実行に所定の時間長を要する様々な事象を含めることが可能である。ここではこのような事象を総称してイベントと言い、このイベントについて滞在・参加・鑑賞・実行等を行うことを「実行」と総称する。そして、旅行プラン中に含まれた各イベントの実行を予定している時間間隔（時間帯）のことを、ここでは「実行時間帯」ともいう。
【００２６】
旅行プラン作成システム１００の構成についての説明に戻る。
上記の旅行プラン要求端末２００と旅行プラン作成装置３００とは、例えばインターネット、ＬＡＮ、ＷＡＮ等の通信ネットワーク（以下、「ネットワーク４００」という。）を経由して相互に接続可能である。旅行プラン要求端末２００は、ユーザによって操作され、このユーザ操作に応じて、旅行プラン作成装置３００に旅行プランを作成させるための所定の信号及び情報を送信する。一方、この所定の信号を受信した旅行プラン作成装置３００は、以下で説明する所定の処理や動作を通じて、ユーザが所望する旅行プランを作成する。そして、旅行プラン要求端末２００は、作成された旅行プランを取得して、例えば、表示画面に表示したり、音声出力したり、記録装置に記録するなどにより、旅行プランをユーザに提供する。
【００２７】
また、旅行プラン作成装置３００は、ネットワーク４００を介して更に移動時間検索エンジン５００に接続可能である。移動時間検索エンジン５００は、ある地点から他の地点まで移動可能な移動時間を検索する。より具体的にこの移動時間検索エンジン５００について説明する。この移動時間検索エンジン５００は、実際の交通手段（移動手段）に関する情報についてネットワーク４００上の他のサーバを検索したり、その情報を自ら有している。「交通手段に関する情報」としては、例えば、列車・バス・飛行機・船などの定期運転される交通手段の時刻表、徒歩・自動車・自転車などのユーザが通常採りうる交通手段による所要時間を算出可能な情報（速度情報であってもよい。）などが挙げられる。移動時間検索エンジン５００は、更に、出発地点と到着地点に関する位置情報と、出発時刻に関する出発時刻情報とを取得する。そして、移動時間検索エンジン５００は、位置情報及び出発時刻情報（到着時刻情報でもよい。）に基づいて、それらに応じて実際に採りうる交通手段に関する情報を検索する。更に、この検索した交通手段に関する情報に基づいて、移動時間検索エンジン５００は、実際に２つの地点間を移動することが可能な移動時間帯を算出する。つまり、移動時間帯は、２つの地点間を移動手段に応じて実際に移動することが可能な時間帯となる。そして、移動時間検索エンジン５００は、算出した移動時間帯を表す情報を出力することができる。この出力される「移動時間帯を表す情報」をここでは「可能移動時間情報」ともいう。つまり、この可能移動時間情報には、実際の移動手段に基づいて２つの地点間を移動することが可能な移動時間帯が含まれる。なお、この可能移動時間情報には、検索された移動手段に関する情報も含まれてもよい。また、移動時間検索エンジン５００は、１の可能移動時間情報だけでなく、採りうる他の移動手段や出発時間に応じた複数のルート（経路）に対する可能移動時間情報を検索して出力してもよい。一方、旅行プラン作成装置３００は、この可能移動時間情報を移動時間検索エンジン５００から取得して、旅行プランの作成に使用することができる。旅行プラン作成装置３００は、この可能移動時間情報以外に「予測移動時間情報」を算出して使用するが、予想移動時間情報については後述する。
【００２８】
なお、本実施形態では、旅行プランを作成する構成として、図１に示す旅行プラン作成システム１００を例に挙げて説明する。しかし、これは本発明の一実施形態であり、本発明はこの例に限定されないことは言うまでもない。本発明は、例えば、旅行プラン要求端末２００と旅行プラン作成装置３００とが一体となった１つの旅行プラン作成装置として実施されることも可能である。また、本発明は、ネットワーク４００を介して接続差可能なコンピュータ・携帯電話・ＰＤＡ（Ｐｅｒｓｏｎａｌ  Ｄｉｇｉｔａｌ  Ａｓｓｉｓｔａｎｔ）などの様々な情報処理端末からの要求に応じて、旅行プランを作成する旅行プラン作成装置として実施されることも可能である。つまり、本発明は、様々な形態で実施されることも可能である。なお、本発明が１つの旅行プラン作成装置として実施される場合、ユーザは、旅行プラン作成装置を直接操作することにより、旅行プランを作成させることができる。
【００２９】
また、本実施形態では、上述の通り、旅行プラン作成装置３００が可能移動時間情報を外部の移動時間検索エンジン５００から取得する構成を例に挙げて説明する。しかし、これも本発明の一実施形態であり、本発明はこの例に限定されないことは言うまでもない。例えば、旅行プラン作成装置３００自身が上記移動時間検索エンジン５００と同様に可能移動時間情報を算出してもよい。
【００３０】
＜旅行プラン要求端末の構成＞
図１に示すように、旅行プラン要求端末２００は、旅行プラン作成要求送信部２１０と、旅行プラン受信部２２０と、表示部２３０とを有する。
【００３１】
旅行プラン作成要求送信部２１０は、ユーザの操作に応じて、旅行プラン作成装置３００に旅行プランを作成させるための所定の信号及び情報を送信する。この所定の信号及び情報としては、例えば、作成開始情報・イベント選択情報・実行時間設定情報・ルート設定情報などが挙げられるが、その他必要に応じて様々な信号及び情報であってもよいことは言うまでもない。
【００３２】
「作成開始情報」は、旅行プラン作成装置３００に旅行プラン作成を開始させるための必要な情報と、その他必要に応じた付加的な情報とを含む。作成開始情報が含む情報の例としては、旅行プラン作成装置３００に旅行プラン作成を開始させる「スタート信号」、ユーザが旅行することを予定している地域を表した「地域情報」、ユーザが旅行することを予定している期間を表した「期間情報」などが挙げられる。なお、作成開始情報は、その他、ユーザの年齢・性別・嗜好・過去に実行したイベントなどのような付加的な情報を含んでもよい。「イベント選択情報」は、ユーザの操作に応じて出力され、「ユーザがどのイベントを旅行プラン中に含めることを所望しているか」などを表した情報である。「実行時間設定情報」は、ユーザの操作に応じて出力され、「ユーザがイベントを実行したいと所望している時間帯は何時なのか」などを表した情報である。なお、この実行時間設定情報は、旅行プラン作成装置３００が作成する旅行プラン中の実行時間帯を固定するものではなく、旅行プラン中に含まれる各イベントの実行時間帯は、この実行時間設定情報を必ずしも正確に反映しているとは限らない。「ルート設定情報」は、ユーザの操作に応じて出力され、旅行プラン中に設定されたイベント間の移動経路（ルート）を表した情報である。
【００３３】
旅行プラン受信部２２０は、旅行プラン作成装置３００が作成した旅行プランを受信し、受信した旅行プランを表示部２３０の表示画面に表示させる。また、この旅行プラン受信部２２０は、旅行プランだけでなく、例えば、旅行プラン作成装置３００が旅行プラン作成中などに出力する様々な情報を受信し、受信した情報の一部又は全部を表示部２３０の表示画面に表示させることができる。旅行プラン受信部２２０は、ユーザの操作に応じて、更に他の様々な情報を表示部２３０の表示画面に表示させてもよい。なお、以下で説明する表示部２３０の表示画面に表示される表示映像例は、この旅行プラン受信部２２０及び表示部２３０によって表示させられるが、説明の便宜上、表示映像を説明する際に、この旅行プラン受信部２２０及び表示部２３０が表示させる旨についての説明は適宜省略する。この表示部２３０に表示させる情報の例としては、イベントの内容を表した「イベント情報」、「判定結果」を表した「判定結果情報」、「警告表示（アラーム表示）」を表した「警告情報」などが挙げられるが、これらの情報については後述する。なお、旅行プラン受信部２２０は、所定の情報を表示画面に表示させるだけでなく、例えば、音声出力したり、別途の記憶装置（図示せず）に記録することも可能である。
【００３４】
＜旅行プラン作成装置３００の構成＞
更に図１を参照して、旅行プラン作成装置３００の構成について説明する。
図１に示すように、旅行プラン作成装置３００は、通信部３１０と、イベント情報記憶部３２１と、イベント情報登録部３２２と、イベントリスト作成部３３１と、表示制御部３３２と、イベント選択部３３３と、移動時間算出部３３４と、実行時間設定部３４１と、時間整合性判定部３４２と、実行時間調整部３４３と、移動時間設定部３４４とを有する。
【００３５】
通信部３１０は、ネットワーク４００に接続され、旅行プラン要求端末２００や他の端末との通信のインターフェイスの役割を担う。
【００３６】
イベント情報記憶部３２１には、それぞれイベントの内容を表した１又は２以上のイベント情報が記録される。各イベント情報には、そのイベントに関する名称・開催時間・開催場所などの情報が含まれる。このイベント情報に含まれる情報の例を、図２に示す。図２は、本実施形態に係る旅行プラン作成システムが使用するイベント情報について説明する説明図である。
【００３７】
（イベント情報について）
イベント情報には、例えば、「ｉｄ情報」、「ｎａｍｅ＿ｊｐ情報」、「ｐｏｓｔ＿ｃｏｄｅ情報」、「ａｄｄｒｅｓｓ＿ｊｐ情報」、「ｏｐ＿ｈｏｕｒ＿ｊｐ情報」、「ｏｐ＿ｓｔａｒｔ＿ｍｉｎｕｔｅｓ情報」、「ｏｐ＿ｅｎｄ＿ｍｉｎｕｔｅｓ情報」、「ｌｉｎｋｓ情報」、「ｌａｔ情報」、「ｌｏｎ情報」、「ｋｅｙｗｏｒｄｓ情報」、「ｐｒｅ＿ｔｉｍｅ＿ｌｅｎｇｔｈ情報」、「ｉｍａｇｅ情報」、「ｇｕｉｄａｎｃｅ情報」及び「ｐｒｉｏｒｉｔｙ情報」などが含まれる。
【００３８】
ｉｄ情報は、各イベントを識別するための識別子であり、例えばＩＤ（Ｉｄｅｎｔｉｆｉｃａｔｉｏｎ）番号等で表される。ここでは、ｉｄ情報は、イベント毎に異なる値が割り当てられた目的地番号であるものとする。ｎａｍｅ＿ｊｐ情報は、イベントの名称を表す情報である。ｐｏｓｔ＿ｃｏｄｅ情報は、イベントが実行される位置（以下「所在地」ともいう。）の郵便番号を表す情報である。ａｄｄｒｅｓｓ＿ｊｐ情報は、イベントの所在地の住所を表す情報である。ｏｐ＿ｈｏｕｒ＿ｊｐ情報は、イベントの開催時間についての説明文を表す情報である。ｏｐ＿ｓｔａｒｔ＿ｍｉｎｕｔｅｓ情報は、イベントの開催時間帯の開始時刻（例えば開場時刻・開演時刻等）を表す情報である。ｏｐ＿ｅｎｄ＿ｍｉｎｕｔｅｓ情報は、イベントの開催時間帯の終了時刻（例えば閉場時刻・閉演時刻等）を表す情報である。ｌｉｎｋｓ情報は、イベントに関するホームページなどのような外部リンク先を表した情報であり、例えば、ＵＲＩ（Ｕｎｉｆｏｒｍ  Ｒｅｓｏｕｒｃｅ  Ｉｄｅｎｔｉｆｉｅｒ）を表す。ｌａｔ情報は、イベントの所在地の緯度を表した情報である。ｌｏｎ情報は、イベントの所在地の経度を表した情報である。ｋｅｙｗｏｒｄｓ情報は、イベントのキーワード等を表した情報であり、例えば、当該イベントの名称・内容・所在地等に含まれるキーワード、そのイベントの属性や種類等を表した情報であってもよい。ｐｒｅ＿ｔｉｍｅ＿ｌｅｎｇｔｈ情報は、イベントを実行する際に必要であろうと予想され、初期設定として設定される実行時間長を表す情報である。ｉｍａｇｅ情報は、イベント自体の画像などのようにそのイベントを連想させるようなイベントに関する画像データである。ｇｕｉｄａｎｃｅ情報は、例えば「そのイベントが何のイベントであるのか」等のように、イベントについての説明（アナウンス）を表した情報である。ｐｒｉｏｒｉｔｙ情報は、そのイベントの優先度を表した情報である。なお、イベント情報には、これらの情報以外に、更に様々な情報が含まれてもよいことは言うまでもない。
【００３９】
イベント情報記憶部３２１には、上記のような情報が記録されるが、本実施形態に係る旅行プラン作成システム１００では、上記複数の情報中、特に、「ａｄｄｒｅｓｓ＿ｊｐ情報」、「ｌａｔ情報」、「ｌｏｎ情報」、「ｏｐ＿ｓｔａｒｔ＿ｍｉｎｕｔｅｓ情報」、「ｏｐ＿ｅｎｄ＿ｍｉｎｕｔｅｓ情報」、「ｐｒｅ＿ｔｉｍｅ＿ｌｅｎｇｔｈ情報」及び「ｐｒｉｏｒｉｔｙ情報」などを使用して、旅行プランを作成する。
この「ａｄｄｒｅｓｓ＿ｊｐ情報」、「ｌａｔ情報」及び「ｌｏｎ情報」を、そのイベントが実行される位置を表した情報であるという意味で「位置情報」と総称する。なお、位置情報は「ｐｏｓｔ＿ｃｏｄｅ情報」を含んでもよい。この位置情報のうち、「ａｄｄｒｅｓｓ＿ｊｐ情報」（及び「ｐｏｓｔ＿ｃｏｄｅ情報」）を、ここでは「住所情報」ともいう。また、「ｌａｔ情報」及び「ｌｏｎ情報」を、ここではそれぞれ「緯度情報」及び「経度情報」ともいう。また、「ｏｐ＿ｓｔａｒｔ＿ｍｉｎｕｔｅｓ情報」及び「ｏｐ＿ｅｎｄ＿ｍｉｎｕｔｅｓ情報」を、開催時間帯の開始及び終了時刻を定める情報であるという意味で「開催時間情報」ともいう。なお、ここでいう「開催時間」とは、そのイベントを実行することが可能な時間を意味し、通常、開始時刻から終了時刻までの所定の時間幅を有する時間帯として表される。よって、このような時間帯を「開催時間帯」とも言う。また、「ｐｒｅ＿ｔｉｍｅ＿ｌｅｎｇｔｈ情報」を、ここでは「実行時間長情報」とも言う。この実行時間長情報は、例えば、実際にそのイベントを実行した結果その実行に要した時間長を統計的に求めて予め設定してもよく、イベントの主催者などにより決定されている時間長に予め設定されてもよく、イベントを実行する際に必要な最小時間長に予め設定されてもよい。また、「ｐｒｉｏｒｉｔｙ情報」をここでは「優先情報」とも言う。この優先情報は、例えば、イベント毎に優先順位が付される場合には、その優先順位を表した情報であってもよい。また、優先情報は、例えば、イベントを実行する年齢層や性別などのように実行者の属性を表した情報であってもよい。この場合、優先情報により、旅行プランを作成させたいユーザの属性等に応じて、イベントの優先度を決定することができる。
【００４０】
再び図１を参照して、旅行プラン作成装置３００の他の構成の説明に戻る。
イベント情報登録部３２２は、上記イベント情報記憶部３２１にイベント情報を記録（登録）することができる。このイベント情報登録部３２２は、ネットワーク４００上にイベント情報を公開している他のポータルサイトなどの記憶装置等から、通信部３１０を介してそのイベント情報を取得して、イベント情報記憶部３２１に記録してもよい。また、イベント情報登録部３２２は、ユーザの操作に応じて旅行プラン要求端末２００から出力されたイベント情報や、ユーザによる旅行プラン作成装置３００の直接操作により入力されるイベント情報を、イベント情報記憶部３２１に記録してもよい。
【００４１】
イベントリスト作成部３３１は、イベント情報記憶部３２１に記録された１又は２以上のイベント情報から、旅行プランに含めるイベントのイベント情報を選択し、そのイベントのリストを作成する。
【００４２】
より具体的には、イベントリスト作成部３３１は、旅行プラン要求端末２００から出力された「作成開始情報」に含まれる「スタート信号」を取得すると動作を開始する。動作を開始したイベントリスト作成部３３１は、まず、「地域情報」及び「期間情報」に基づいて、ユーザが指定した旅行先の地域内及びその近郊であり、かつ、旅行期間に開催されているイベント情報を、イベント情報記憶部３２１の中から検索し、表示制御部３３２に出力する。表示制御部３３２は、そのイベント情報と、所定の情報（例えばその地域の地図データなど）とを、旅行プラン要求端末２００が有する表示部２３０の表示画面に表示させる。
【００４３】
この際、旅行プラン要求端末２００の表示画面に表示される表示映像の一例を、図３に示す。図３に示すように、表示映像Ｍ１として表示画面には、その地域の地図データと、各イベント情報のアイコンＩ（ｉｃｏｎ、例えばｉｍａｇｅ情報やｎａｍｅ＿ｊｐ情報など）が表示される。そして、この表示映像を参照したユーザは、旅行プラン要求端末２００を操作して、旅行プランに含めたいイベントの候補を選択する。このイベントの操作としては、例えば、ユーザは、旅行プランに含めたいイベントのアイコンＩをドラッグ（ｄｒａｇ）し、矢印Ａ１に示すように、このアイコンＩをイベントリスト欄Ｌにドロップ（ｄｒｏｐ）することにより、イベントの候補を選択することができる。旅行プラン作成要求送信部２１０は、この選択されたイベントの候補を、イベントリストを作成するための「イベント選択情報」として、イベントリスト作成部３３１に出力する。なおこの際、旅行プラン要求端末２００は、例えば、ユーザがアイコンＩにカーソルをあわせたり、アイコンＩをドラッグ又はクリックした時点で、メッセージ欄ＭＥにａｄｄｒｅｓｓ＿ｊｐ情報・ｏｐ＿ｈｏｕｒ＿ｊｐ情報・ｌｉｎｋｓ情報・ｉｍａｇｅ情報・ｇｕｉｄａｎｃｅ情報などを表示させることにより、ユーザにそのイベントに関する情報を提供することもできる。
【００４４】
イベントリスト作成部３３１は、この取得したイベント選択情報に基づいて、旅行プランに含めるイベントのリスト（以下、「イベントリスト」ともいう。）を作成する。そして、イベントリスト作成部３３１は、作成したイベントリストを表示制御部３３２及びイベント選択部３３３に出力する。表示制御部３３２は、このイベントリストと、後述するタイムテーブルＴに関する情報とを、旅行プラン要求端末２００が有する表示部２３０の表示画面に表示させる。
【００４５】
この際、旅行プラン要求端末２００の表示画面に表示される表示映像の一例を、図４に示す。図４に示すように、表示映像Ｍ２として表示画面には、イベントリストとが、タイムテーブルＴと共に表示される。なお、このイベントリストは、表示映像Ｍ２中のイベントリスト欄Ｌに表示される。また、タイムテーブルＴは、例えば、イベント情報記憶部３２１に記録されており、表示制御部３３２によりユーザが設定した「期間情報」に基づいて出力される。
【００４６】
表示制御部３３２は、上述の通り、イベントリスト作成部３３１や旅行プラン要求端末２００などから出力された様々な情報に基づいた所定の映像を、旅行プラン要求端末２００の表示部２３０の表示画面に表示させる。なお、この表示制御部３３２は、以下で説明するように、旅行プラン作成装置３００が有する他の構成から出力される様々な情報などをも、表示部２３０の表示画面に表示させる。
【００４７】
イベント選択部３３３は、イベントリストに含まれるイベント情報のうち、実行時間帯を設定するイベントを選択する。この際、イベント選択部３３３は、旅行プラン要求端末２００の旅行プラン作成要求送信部２１０から出力される、実行時間帯を設定するための「イベント選択情報」に基づいて、１のイベントを選択する。なお、このイベント選択情報は、ユーザの操作に応じて、旅行プラン作成要求送信部２１０から出力される。
【００４８】
より具体的には、ユーザは、イベントリスト作成部３３１が作成し、表示制御部３３２が表示画面に表示させたイベントリスト（例えば、図４）を参照しつつ、イベントリスト欄Ｌ中のイベントのアイコンＩから、実行時間帯を設定すべきイベントのアイコンＩを選択する。すると、旅行プラン作成要求送信部２１０は、このユーザの操作に応じて、イベント選択情報を送信する。イベント選択部３３３は、イベント選択情報を取得し、イベント選択情報に表された（つまり、ユーザが選択した）イベントを選択する。そして、イベント選択部３３３は、選択したイベントのイベント情報を、表示制御部３３２及び移動時間算出部３３４に出力する。
【００４９】
このイベント情報を受取った表示制御部３３２は、イベント情報中の開催時間情報を表示画面に表示させる。この表示画面上に表示された開催時間情報の一例を、図４に示す。上述の通り、開催時間情報は、そのイベントの開催時間帯を表す。よって、表示制御部３３２は、開催時間情報を、旅行プラン要求端末２００に出力することにより、表示画面に開催時間帯ＯＰを表示させる。なお、図４では、この開催時間帯ＯＰをタイムテーブルＴ上にバー（Ｂａｒ、タイムライン）表示している場合を示している。しかし、この開催時間帯ＯＰの表示形式は、図４に示す例に限定されるものではなく、例えば、開始時刻及び終了時刻を直接表示したり、円グラフ状に表示するなど様々な表示形式が考えられる。つまり、この開催時間帯ＯＰの表示形式は、ユーザがそのイベントの開催時間帯が何時から何時までなのかを把握することが可能な形式であれば、如何なる形式であってもよい。
【００５０】
なお、図４に示した開催時間帯ＯＰの表示形式について、具体的に説明すれば以下の通りである。つまり、図４に示す表示映像Ｍ２中のタイムテーブルＴ中には、その時間軸（横軸）方向に沿ってバーＢが表示される。このバーＢには、開催時間帯ＯＰと、開催時間帯ＯＰ以外の非開催時間帯ＣＬとが、相互に異なる形態（例えば、色・模様・形状・輝度・塗り潰しなど）で含まれる。よって、ユーザは、バーＢ上の開催時間帯ＯＰと非開催時間帯ＣＬとを視覚的に区別することができる。なお、ユーザが直感的に理解しやすい開催時間帯の表示形式としては、バーＢのような表示形式に限られるものではなく、上記のように、例えば、円グラフ状に表示することなども考えられる。
【００５１】
移動時間算出部３３４は、図５に示すように、既に実行時間帯が設定されたイベントが存在し、イベント選択部により他のイベントが新たに選択された場合、既設定されたイベントと新たに選択されたイベントとの位置情報に基づいて、両イベント間の必要と予測される「移動時間長」を算出する。そして、この移動時間長を表示制御部３３２に出力し、新たに選択されたイベントのイベント情報を実行時間設定部３４１に出力する。この移動時間算出部３３４については、実行時間設定部３４１を説明した後に詳しく説明する。
【００５２】
実行時間設定部３４１は、イベント選択部３３３により選択されたイベントの実行時間帯を設定する。この際、実行時間設定部３４１は、旅行プラン要求端末２００の旅行プラン作成要求送信部２１０から出力される、実行時間帯を仮に設定するための「実行時間設定情報」に基づいて、実行時間帯を設定する。なお、この実行時間設定情報も、ユーザの操作に応じて、旅行プラン作成要求送信部２１０から出力される。
【００５３】
より具体的に実行時間設定部３４１による実行時間帯の設定について図４及び図５を参照して説明する。図４及び図５に示すように、例えば、イベントリスト欄Ｌから実行時間帯を設定したいイベントのアイコンＩを選択したユーザは、更に、このアイコンをドラッグして、矢印Ａ２に示すように、タイムテーブル上の所望の位置（つまり、所望の時間帯を表す）へとドロップする。すると、旅行プラン作成要求送信部２１０は、このユーザの操作に応じて、アイコンＩがドラッグされて移動させられている間、そのアイコンＩの位置に応じた時間帯又は時刻を実行時間帯設定情報として出力し続ける。そして、旅行プラン作成要求送信部２１０は、ユーザの操作に応じて、アイコンＩがドロップされた時間帯又は時刻を、実行時間帯を仮設定するための実行時間設定情報（ここでは「一時的実行時間設定情報」とも言う。）として出力する。そして、アイコンＩがドロップされた位置に対応する実行時間設定情報を受取った実行時間設定部３４１は、そのイベントの実行時間帯を、実行時間設定情報に表された時間帯又は時刻に設定する。なお、実行時間設定情報が時刻を表す場合、実行時間設定部３４１は、この時刻と、初期設定されている実行時間長情報に表された実行時間長とに基づいて、実行時間帯を仮に設定する。そして、実行時間設定部３４１は、この設定した実行時間帯を表した「実行時間情報」を移動時間算出部３３４、時間整合性判定部３４２及び実行時間調整部３４３に出力し、ここで実行時間帯が仮設定されたイベントのイベント情報を時間整合性判定部３４２及び実行時間調整部３４３に出力する。また、実行時間設定部３４１は、アイコンＩがドラッグされて移動させられている間旅行プラン作成要求送信部２１０から出力され続け、そのアイコンＩの位置に応じた時間帯又は時刻を表す一時的実行時間設定情報を、移動時間算出部３３４に順次出力する。
【００５４】
実行時間設定部３４１で実行時間帯が設定されたイベントの実行時間帯は、表示制御部３３２により、図４〜図６に示すように、タイムテーブルＴ上にボックスＩＢ１，ＩＢ２（Ｂｏｘ）の形態で表示させる。このボックスＩＢ１，ＩＢ２は、時間軸（横）の方向の幅が、実行時間長情報に表された初期設定の実行時間長に対応する。つまり、ボックスＩＢ１において、時間軸方向の左方端部が実行開始時刻に対応し、時間軸方向の右方端部が実行終了時刻に対応する。また、このボックスＩＢ１中には、そのボックスＩＢ１が各イベントを区別することができるように、そのイベントのアイコンＩや他のイベント情報が含まれてもよい。なお、各イベントの実行時間帯の表示形式は、ボックス形式に限定されるものではない。イベントの実行時間帯の表示形式も、例えば、実行開始時刻及び実行終了時刻を直接表示したり、円グラフ上の一部の領域（扇形等）に表示するなど様々な表示形式が考えられる。つまり、この開催時間帯ＯＰの表示形式は、ユーザがそのイベントの開催時間帯が何時から何時までなのかを把握することが可能な形式であれば、如何なる形式であってもよい（以下のボックス形式の表示においても同様である。）。しかし、表示制御部３３２は、上記の開催時間帯の表示形式と同様に、実行時間帯をボックスＩＢ１などのように直感的に理解しやすい形式で表示することにより、ユーザの旅行プラン作成時の労力を低減することができる。
【００５５】
図４には、未だイベントの実行時間帯が設定されていない（つまり、タイムテーブルＴ上にボックスが表示されていない）場合に表示画面に表示される表示映像Ｍ２を示した。一方、図５には、一のイベントの実行時間帯が既に設定されており、そのイベントを表したボックスＩＢ２がタイムテーブルＴ上に表示されている場合の表示映像Ｍ１を示した。なおこの図５では、イベント選択部３３３により、ボックスＩＢ２とは異なる他のイベントが新たに選択された場合をも示している。そして、図６には、図５に示した状態から、実行時間設定部３４１が上述の動作を通じて新たなイベントの実行時間帯を仮設定し、そのイベントに対応したボックスＩＢ１が新たに表示されたタイムテーブルＴを示した。この新たに実行時間帯が設定される過程では、上述の通り、アイコンＩの位置に応じた一時的実行時間設定情報が旅行プラン作成要求送信部２１０により送信され、移動時間算出部３３４は、この一時的実行時間設定情報を取得する。
【００５６】
（移動時間算出部３３４について）
ここで移動時間算出部３３４について、より詳細に説明する。
移動時間算出部３３４は、上述の通り、既に実行時間帯が設定されたイベントが存在し、イベント選択部により他のイベントが新たに選択された場合、既設定されたイベントと新たに選択されたイベントとの位置情報に基づいて、両イベント間の必要と予測される「移動時間長」を算出する。図５は、この既に実行時間帯が設定されたイベントが存在し、イベント選択部により他のイベントが新たに選択された場合の例を示している。この場合、移動時間算出部３３４は、新たなイベントの一時的実行時間設定情報を取得する。そして、移動時間算出部３３４は、その一時的実行時間設定情報と、既設定されたイベントの実行時間帯を表した実行時間情報とに基づいて、時間軸上、新たなイベントの前後に存在している既設定されたイベントを特定する。更に、移動時間算出部３３４は、新たなイベントの位置情報とその前後のイベントの位置情報とに基づいて、新たなイベントとその前のイベント又は後のイベントとの間を移動するのに要すると予測される概算の移動時間長を算出する。この際、移動時間算出部３３４は、まず、各位置情報のうち特に「緯度情報」及び「経度情報」を使用し、２つのイベント間の距離を算出する。そして、移動時間算出部３３４は、例えば、ユーザが移動する際の平均的な速度を表した「平均移動速度」と、２つのイベント間の距離とを用いて、２つのイベント間の移動時間長を算出する。従って、移動時間長は、必ずしも、２つのイベント間を実際にユーザが移動する際に要する時間長と一致するとは限らないが、ほぼ同程度と予測される時間長となる。そして、移動時間算出部３３４は、この算出した移動時間長を表した「予測移動時間情報」を表示制御部３３２及び時間整合性判定部３４２に出力する。
【００５７】
この予測移動時間情報を取得した表示制御部３３２は、移動時間長をタイムテーブルＴ上に表示する。この移動時間長がタイムテーブルＴに表示された例を、図５に示している。図５では、移動時間ＴＡ１の時間軸方向の長さが、移動時間長に対応する。なお、図５では、表示制御部３３２は、移動時間長を表した移動時間ＴＡ１の一端部を、既設定されているイベントのボックスＩＢ２に接触させて表示する。そして、実行時間設定部３４１が新たに選択されたイベントの実行時間帯を設定すると、表示制御部３３２は、図６に示すように、この新たに設定されたイベントを表したボックスＩＢ１をタイムテーブルＴ上に表示させる。更に、表示制御部３３２は、既設定されていたイベントのボックスＩＢ２と新たに設定されたイベントのボックスＩＢ１との間に、移動時間長を表した移動時間ＴＡ１を表示した状態を維持する。
【００５８】
なお、図５及び図６では、既に設定されたイベントが１つだけの場合を示しているが、既に設定されたイベントが複数ある場合を図７に示す。図７に示すように、複数のイベント（ボックスＩＢ２，ＩＢ３）が既設定されている場合、移動時間算出部３３４は、上記同様に、新たに選択されたイベントの前後にある既設定されたイベント（ボックスＩＢ２，ＩＢ３）を、一時的実行時間情報から特定する。そして、移動時間算出部３３４は、新たに選択されたイベントの位置情報と、その前後に既設定されているイベントの位置情報とに基づいて、概算の移動時間長を算出する。この算出された移動時間長を表した予測移動時間情報は、表示制御部３３２により、タイムテーブル上に表示される（移動時間ＴＡ１，ＴＡ２）。
【００５９】
従って、旅行プラン作成システム１００は、表示画面のタイムテーブルＴ上に、既設定されたイベントの実行時間帯と共に、そのイベントから新たに選択されたイベントまで移動するのに要すると予想される時間長を表示する。従って、図５に示すように、ユーザは、新たに選択したイベントのアイコンＩを、移動時間ＴＡ１と重畳しないように設定することができる。つまり、ユーザは、各イベントの実行時間帯を任意の時間帯に設定させることができると共に、この際、各イベント間の移動時間を考慮した時間帯に設定させることが可能となる。なお、この移動時間長の表示形式は、図７等に例示した棒状に限定されるものではないが、図７等に示すように、移動時間長を棒状の移動時間ＴＡ１，ＴＡ２の長さで表すことにより、直感的に理解しやすい形式でユーザに通知することができる。
【００６０】
三度図１を参照して、旅行プラン作成装置３００の他の構成の説明に戻る。
【００６１】
時間整合性判定部３４２は、判定部の一例であって、実行時間帯を表す実行時間情報と、概算された移動時間長を表した予測移動時間情報とに基づいて、その実行時間帯が設定可能であるか否かを判定する。つまり、時間整合性判定部３４２は、例えば、時間的に連続した２つのイベントの実行時間帯間の時間間隔と、予測移動時間情報に表された移動時間長とを比較し、この時間間隔が移動時間長未満の場合には、実行時間帯は設定不可能であると判定し、時間間隔が移動時間長以上の場合には、実行時間帯は設定可能であると判定する。そして、この判定結果及び実行時間情報は、表示制御部３３２に出力される。
【００６２】
この判定結果を受取った表示制御部３３２は、判定結果及び実行時間情報を表示画面に表示させる。図７及び図８は、この表示画面上に表示された判定結果の一例を示している。なお、図７は、仮設定された実行時間帯を時間整合性判定部３４２が設定可能であると判定した場合を示し、図８は、逆に設定不可能であると判定した場合を示す。
【００６３】
図７に示すように、仮設定された実行時間帯が設定可能であると判定された場合、表示制御部３３２は、その実行時間帯に対応したイベントを表したボックスＩＢ１をタイムテーブルＴ上に表示させる。
【００６４】
一方、図８に示すように、仮設定された実行時間帯が設定不可能であると判定された場合、表示制御部３３２は、その実行時間帯に対応したイベントをタイムテーブル上にボックスＩＢ１（Ｂｏｘ）の形態で表示させると共に、警告情報を出力して、実行時間帯が設定不可能であることを通知する警告表示（以下「アラーム」ともいう。）を表示させる。図８には、表示制御部３３２が、ボックスＩＢ１中の色を変更するなど、ボックスＩＢ１を図７とは異なる形態（例えば、色・模様・形状・輝度・塗り潰しなど）で表示させることにより、アラームを表示させる場合を示している。このアラームとしては、表示制御部３３２は、例えば、図４中のメッセージ欄ＭＥに所定の警告表示を行うことも可能であり、他にも警告音を音声出力することも可能である。このアラームは、ここで挙げた例に限定されるものではなく、ユーザに実行時間帯が設定不可能であることを通知できるような様々な警告表示であってもよい。
【００６５】
また、この時間整合性判定部３４２は、更に各イベントの開催時間情報に基づいて、仮設定された実行時間情報が表す実行時間帯が開催時間帯に含まれるか否かを確認して、その実行時間帯が設定可能であるか否かを判定することも可能である。つまり、時間整合性判定部３４２は、各イベントの実行時間帯がそのイベントの実行時間帯を含む場合には、その実行時間帯は設定可能であると判定し、各イベントの実行時間帯がそのイベントの実行時間帯を含まない場合には、その実行時間帯は設定不可能であると判定する。そして、この判定結果も表示制御部３３２に出力される。そして、表示制御部３３２は、上記同様、設定可能である場合には、図７に示すように、新たに設定するイベントをボックス形式で表示させ、設定不可能である場合には、図８で示したようにボックスと同時にアラームをも表示させる。
【００６６】
更に、この時間整合性判定部３４２は、図７等に示すように、既に他のイベントの実行時間帯が設定されている場合には、更に、そのイベントの実行時間情報を使用して、新たに設定されたイベントの実行時間帯と、その既設定されているイベントの実行時間帯とが重複していないか否かを確認して、その実行時間帯が設定可能であるか否かを判定することも可能である。つまり、時間整合性判定部３４２は、両イベントの実行時間帯が重畳している場合には、新たに設定されたイベントの実行時間帯は設定不可能であると判定することも可能である。ただし、時間整合性判定部３４２は、移動時間長による判定を既に行っているため、このように複数のイベントの実行時間帯が重畳するような場合は発生しにくいことは言うまでもない。また、この判定結果も、表示制御部３３２により、上記同様アラームなどにより表示される。
【００６７】
従って、時間整合性判定部３４２は、実行時間帯が実際に設定可能であるか否かを判定することができ、表示制御部３３２は、例えば、その判定結果として、設定不可能である場合にはアラームを出力することができる。従って、実際に実現不可能な旅行プランが作成されようとしている場合には、ユーザにその旨を通知することが可能である。よって、移動時間が適切に確保された状態で、各イベントの実行時間帯が設定されているか否かについてユーザに通知することができる。
【００６８】
この時間整合性判定部３４２による判定結果が、「実行時間帯が設定不可能である」ことを示している場合、実行時間設定部３４１は、ユーザの操作に応じて旅行プラン要求端末２００から出力された「実行時間設定情報」に基づいて、再度実行時間帯を設定し直す。また、実行時間設定部３４１は、「実行時間設定情報」に依らずに、開催時間情報などに基づいて、設定可能となるように実行時間帯を再度自動的に設定し直すことも可能である。２つのイベントの実行時間帯が互いに重畳しており、自動的に実行時間帯を再設定する場合、実行時間設定部３４１は、各イベントの優先情報に応じて、その優先順位が高いイベントの実行時間帯が長くなり、かつ、実行時間帯が互いに重畳しないように、再度実行時間帯を設定し直すことも可能である。
【００６９】
このように、時間整合性判定部３４２により、特に移動時間長よりも長い時間間隔が、各イベント間に確保されているか否かを確認しつつ、実行時間設定部３４１により、各イベントの実行時間帯を柔軟に設定することができる。よって、必要最低限の移動時間を確保しつつ、各イベントの実行開始時刻や終了時刻を柔軟に設定することができる。
【００７０】
実行時間調整部３４３は、実行時間設定部３４１により設定されたイベントの実行時間帯を調整する。この際、実行時間調整部３４３は、旅行プラン要求端末２００の旅行プラン作成要求送信部２１０から出力される、実行時間帯を調整するための「実行時間設定情報」に基づいて、実行時間帯を設定する。なお、この実行時間設定情報も、ユーザの操作に応じて、旅行プラン作成要求送信部２１０から出力される。
【００７１】
より具体的に実行時間調整部３４３による実行時間帯の調整について図８〜図１０を参照して説明する。図９は、実行時間調整部３４３が実行時間帯（ボックスＩＢ１）を移動させた場合を示しており、図１０は、実行時間調整部３４３が実行時間帯の長さを変更した場合を示している。
【００７２】
表示制御部３３２は、上述の通り、例えば図８に示すように、各イベントの実行時間帯をボックスＩＢ１，ＩＢ２として表示させる。ユーザは、このタイムテーブルＴを参照して、実行時間帯を移動させたいイベントのボックス（例えばボックスＩＢ１）をドラッグし、図９の矢印Ａ３に示すように、移動先の時間に対応した位置にこのボックスをドロップする。すると、旅行プラン作成要求送信部２１０は、この移動先の時間に応じた実行時間設定情報を出力する。そして、実行時間調整部３４３は、この実行時間設定情報に基づいて、そのイベントの実行時間帯を調整する。
【００７３】
また、図８〜図１０に示すように、表示制御部３３２が表示画面に表示させるタイムテーブルＴ中の各ボックスＩＢ１，ＩＢ２は、実行時間長を調整するためのボタンＰ１，Ｐ２を有している。ボタンＰ１は、実行時間帯の開始時刻を変更するためのボタンであり、ボタンＰ２は、実行時間帯の終了時刻を変更するためのボタンである。ユーザは、タイムテーブルＴを参照して、実行時間帯の長さを調整したいイベントのボックス（例えばＩＢ１）のボタン（例えばボタンＰ１）をドラッグし、図１０の矢印Ａ４に示すように、所望の実行時間長となる位置でドロップする。すると、旅行プラン作成要求送信部２１０は、この変更後の実行開始時刻又は実行終了時刻に応じた実行時間設定情報を出力する。そして、実行時間調整部３４３は、上記同様、この実行時間設定情報に基づいて、そのイベントの実行時間帯を調整する。
【００７４】
なお、実行時間調整部３４３により調整された実行時間帯を表した実行時間情報は、再度、時間整合性判定部３４２に出力される。そして、時間整合性判定部３４２は、調整後の実行時間帯が設定可能であるか否かを判定する。この時間整合性判定部３４２による判定は、上記同様に行われ、判定結果は、上記同様表示制御部３３２により、図７及び図８で説明したように表示画面に表示される。
【００７５】
従って、実行時間調整部３４３は、実行時間帯を調整することが可能であり、かつ、時間整合性判定部３４２は、調整された実行時間帯を実行可能であるか否かをも判定することができる。よって、ユーザは、調整後の実行時間帯が設定可能であるか否かを自ら判断することなく、各イベントの実行時間帯を調整することができる。
【００７６】
移動時間設定部３４４は、旅行プランを表したタイムテーブルＴ上に実行時間帯が設定された複数のイベント間を、実際に移動することが可能な移動時間帯を設定する。この移動時間設定部３４４による移動時間帯の設定は、イベント選択部３３３により旅行プランに含めるべき複数のイベントが選択され、かつ、それらのイベントについて実行時間設定部３４１により実行時間帯が設定された後に行われる。なお、この複数のイベントの選択及びそれらの実行時間帯の設定は、再度行われてもよいが、移動時間設定部３４４による移動時間帯の設定は、イベントの選択及びそれらの実行時間帯の設定が一旦終了した際に行われることが好ましい。
【００７７】
この移動時間設定部３４４による移動時間帯の設定について、図１１等を参照しつつ説明する。図１１は、本実施形態に係る旅行プラン作成システムが表示画面に表示する表示映像の一例について説明する説明図である。
【００７８】
まず、イベント選択部３３３による複数のイベントの選択、及び実行時間設定部３４１によるそれらのイベントの実行時間帯の設定が終了すると、表示制御部３３２は、図１１に例示したような表示映像Ｍ３を表示画面に表示させる。なお、イベントの選択及び実行時間の設定の一旦の終了は、例えば、図５に示す確認ボタンＫ１をユーザが押下することにより旅行プラン作成要求送信部２１０が送信する確認信号を、旅行プラン作成装置３００が取得することにより判断される。
【００７９】
そして、表示制御部３３２は、表示映像Ｍ３を表示させる。この表示映像Ｍ３中のタイムテーブルＴには、各イベントの実行時間帯を表したボックスＩＢ１，ＩＢ２，ＩＢ３が表示される。そして、図１０に示した移動時間ＴＡ１，ＴＡ２の代わりに、移動時間帯を設定することを表した移動時間アイコンＴＢ１，ＴＢ２が、各ボックス間に表示される。この移動時間アイコンＴＢ１，ＴＢ２の少なくとも１つがユーザによって押下されると、旅行プラン作成要求送信部２１０は、「どのイベント間の移動時間を設定するのか」を表した信号を出力し、移動時間設定部３４４は、この信号を取得する。図１１では、移動時間アイコンＴＢ１がユーザによって押下された場合を例示している。
【００８０】
そして、移動時間設定部３４４は、その信号に表されたイベントの位置情報と、設定されている実行時間情報とを、ネットワーク４００を介して、移動時間検索エンジン５００に出力する。すると、上述の通り、移動時間検索エンジン５００は、交通手段に関する情報を検索して、１又は２以上のルートを決定し、各ルートにおいて実際の交通手段に基づいてイベント間を移動することが可能な移動時間帯を表した可能移動時間情報を算出する。そして、移動時間設定部３４４は、この１又は２以上の可能移動時間情報を取得して、表示制御部３３２に出力する。可能移動時間情報を取得した表示制御部３３２は、図１１に示すように、この可能移動時間情報を表示映像Ｍ３中のルート表示欄Ｒに表示させる。
【００８１】
このルート表示欄Ｒに表示された可能移動時間情報を参照したユーザは、１又は２以上のルートから、所望のルートを選択する。すると、この操作に応じて、旅行プラン作成要求送信部２１０は「ルート設定情報」を出力する。移動時間設定部３４４は、このルート設定情報を取得する。そして、移動時間設定部３４４は、ルート設定情報に基づいて、そのルートに対応した可能移動時間情報に表された移動時間帯を設定する。移動時間設定部３４４は、この動作を繰り返すことにより、各イベント間に移動時間帯を設定することができる。
【００８２】
なお、移動時間設定部３４４が選択して設定した可能移動時間情報は、時間整合性判定部３４２に出力される。そして、時間整合性判定部３４２は、この可能移動時間情報に基づいて、各イベントの実行時間帯が設定可能であるか否かを判定する。つまり、時間整合性判定部３４２は、設定された可能移動時間情報に表された移動時間帯と、各イベントの実行時間帯とが重畳していないかを確認する。そして、時間整合性判定部３４２は、両時間帯が重畳している場合には、その重畳している実行時間帯は設定不可能であると判定する。そして、この設定不可能であるとの判定結果は、上記同様表示制御部３３２により、図７及び図８で説明したように例えばアラームとして表示画面に表示される。更に、実行時間帯が設定不可能であると判定された場合、実行時間設定部３４１は、上記同様に、その実行時間帯を再度設定し直してもよい。
【００８３】
以上、本実施形態に係る旅行プラン作成システムの構成について説明した。次に、図１２及び図１３を参照しつつ、本実施形態に係る旅行プラン作成システムの動作について説明する。
【００８４】
＜第１実施形態に係る旅行プラン作成システムの動作の一例＞
図１２及び図１３は、本実施形態に係る旅行プラン作成システムの動作の一例について説明する説明図である。
【００８５】
図１２に示すように、まず、ユーザの操作に応じて、旅行プラン要求端末２００から作成開始情報が出力され、この作成開始情報を取得した旅行プラン作成装置３００は、ステップＳ０１を処理する。
【００８６】
ステップＳ０１では、イベントリスト作成部３３１が、その作成開始情報に含まれる地域情報や期間情報に基づいて、その地域及び期間に設定されてるイベント情報を取得する。そして、ステップＳ０３に進む。
【００８７】
ステップＳ０３では、イベントリスト作成部３３１が、ユーザの操作（特にイベント選択情報）に基づいて、図４及び図５のイベントリスト欄Ｌに示すようなイベントリストを作成する。そして、ステップＳ０５に進む。
【００８８】
ステップＳ０５では、表示制御部３３２が、イベントリスト作成部３３１により作成されたイベントリストを、タイムテーブルＴと共に表示画面に表示させる（図４及び図５参照。）。そして、ステップＳ０７に進む。
【００８９】
ステップＳ０７（イベント選択ステップ）では、イベント選択部３３３が、ユーザの操作（特にイベント選択情報）に応じて、イベントリストに含まれる１のイベントを選択する。そして、ステップＳ１１に進む。
【００９０】
ステップＳ１１では、移動時間算出部３３４が、ユーザの操作に応じた一時的実行時間情報（図４及び図５に示すように、アイコンＩの移動中の位置に応じた時間帯又は時刻を表す情報）を取得する。なお、この一時的実行時間情報の取得は、後述のステップＳ２３まで継続されうる。そして、ステップＳ１３に進む。
【００９１】
ステップＳ１３では、移動時間算出部３３４が、既に実行時間帯が設定されたイベントが存在するか否かを確認する。既設定のイベントがない場合、ステップＳ２１に進み、既設定のイベントがある場合、ステップＳ１５に進む。
【００９２】
ステップＳ１５では、移動時間算出部３３４が、まず、一時的実行時間情報に基づいて、新たに選択されたイベントの時間的な前後に既に設定されている他のイベントを特定する。そして、移動時間算出部３３４は、新たに選択されたイベントと特定したイベントとの位置情報に基づいて、そのイベント間の移動に要すると予測される移動時間長を算出する。そして、ステップＳ１７に進む。
【００９３】
ステップＳ１７（移動時間表示ステップ）では、表示制御部３３２が、移動時間算出部３３４により算出された予測される移動時間長を表示画面に表示させる（図５〜図１０中の移動時間ＴＡ１，ＴＡ２など参照）。そして、ステップＳ２１に進む。
【００９４】
ステップＳ２１では、表示制御部３３２が、イベント選択部３３３により選択されたイベントの開催時間帯を表示画面に表示させる（図４中の開催時間帯ＯＰなど参照。）。そして、ステップＳ２３に進む。
【００９５】
ステップＳ２３（実行時間設定ステップ、実行時間再設定ステップ）では、実行時間設定部３４１が、ユーザの操作（特に実行時間設定情報）に基づいて、ステップＳ０７で選択されたイベントの実行時間帯を仮設定する。そして、ステップＳ２５に進む。
【００９６】
ステップＳ１３（第１の判定ステップ、第２の判定ステップ）では、時間整合性判定部３４２が、「ステップＳ２３（又はステップＳ３２）で仮設定（又は調整）された実行時間帯が設定可能か否か」を判定する。この際、時間整合性判定部３４２は、新たに選択されたイベントの仮設定された実行時間帯と、そのイベントの前後に既設定されているイベントの実行時間帯との間の時間間隔が、移動時間長以上であるか否かを判定する。そして、時間整合性判定部３４２は、この時間間隔が移動時間長未満の場合、仮設定された実行時間帯は設定不可能であると判定し、時間間隔が移動時間長以上の場合、仮設定された実行時間帯は設定可能であると判定する。この際、時間整合性判定部３４２は、仮設定された実行時間帯が開催時間帯（開催時間帯ＯＰ）に含まれるか否かをも判定する。そして、時間整合性判定部３４２は、実行時間帯が開催時間帯に含まれない場合、仮設定された実行時間帯は設定不可能であると判定し、実行時間帯が開催時間帯に含まれる場合、仮設定された実行時間帯は設定可能であると判定する。更にこの際、時間整合性判定部３４２は、仮設定された実行時間帯が既に設定されている実行時間帯と重畳しないか否かをも判定してもよい。この場合、両者が重畳する場合、仮設定された実行時間帯は設定不可能であると判定され、両者が重畳しない場合、仮設定された実行時間帯は設定可能であると判定される。そして、仮設定された実行時間帯が設定可能であると判定された場合、ステップＳ２９に進み、設定不可能であると判定された場合、ステップＳ２７に進み、このステップＳ２７では、表示制御部３３２が警告情報を出力する。そして、ステップＳ２９に進む。
【００９７】
ステップＳ２９（判定結果表示ステップ）では、表示制御部３３２が、ステップＳ２３で設定された実行時間帯を表示画面に表示させる（図６〜図９参照。）。この際、ステップＳ２７が処理されている場合には、この実行時間帯と共に、アラームを表示画面に表示させる（図８参照。）。そして、ステップＳ３１に進む。
【００９８】
ステップＳ３１では、実行時間調整部３４３が、ステップＳ２３で設定された実行時間帯を調整する必要があるか否かを判断する。この判断は、ユーザの操作（例えば実行時間設定情報など）に基づいて行われてもよく、ステップＳ２５における判定結果に基づいて行われてもよい（例えば実行時間帯が設定不可能であると判定されている場合には調整が必要であると判断してよい。）。ここで、調整が必要であると判断された場合には、ステップＳ３２に進み、調整が不要である場合には、ステップＳ３３に進む。
【００９９】
ステップＳ３２（実行時間調整ステップ）では、実行時間調整部３４３が、ユーザの操作（例えば実行時間設定情報など）に基づいて、実行時間帯を調整し、再度ステップＳ１３以降の処理が行われる。つまり、実行時間調整部３４３が調整した後の実行時間帯についても、時間整合性判定部３４２により設定可能であるか否かが判定される。
【０１００】
一方、ステップＳ３１において実行時間帯の調整が不要であると判定されてステップＳ３３に進んだ場合、ステップＳ３３では、イベント選択部３３３により他のイベントの設定、及び実行時間帯の設定や調整が完了したか否かが判断される。そして、イベントの設定等が完了した場合には、図１３のステップＳ４１に進む一方、更に他のイベントの設定などが必要な場合には、ステップＳ０７以降の処理が繰り返される。
【０１０１】
ステップＳ４１では、まず、表示制御部３３２が複数のイベントと実行時間帯が設定されたタイムテーブルＴを表示させる（例えば、図１１）。そして、移動時間設定部３４４は、旅行プラン作成要求送信部２１０からユーザの操作に応じて出力される「どのイベント間の移動時間を設定するのか」を表した信号を取得する。そして、移動時間設定部３４４は、この信号に表された移動時間長、つまり、予測移動時間情報を選択する。そして、ステップＳ４３に進む。
【０１０２】
ステップＳ４３では、移動時間設定部３４４が、ネットワークを介して接続された移動時間検索エンジン５００に１又は２以上の可能移動時間情報を検索・算出させ、その可能移動時間情報を取得する。そして、ステップＳ４５に進む。
【０１０３】
ステップＳ４５では、まず、表示制御部３３２が、移動時間設定部３４４により取得された可能移動時間情報を表示させる（図１１中のルート表示欄Ｒなど参照。）。そして、旅行プラン作成要求送信部２１０は、このルート表示欄Ｒを参照したユーザの操作に応じてルート選択情報を出力し、移動時間設定部３４４は、このルート選択情報を取得する。移動時間設定部３４４は、ルート選択情報に表された１のルートを選択する。そして、ステップＳ４７に進む。
【０１０４】
ステップＳ４７では、移動時間設定部３４４は、選択されたルートに対応する可能移動時間情報に表された移動時間帯（及び交通手段）を設定する。そして、ステップＳ４９に進む。
【０１０５】
ステップＳ４９（第２の判定ステップ）では、時間整合性判定部３４２が、設定された移動時間帯を表した可能移動時間情報に基づいて、設定されている実行時間帯が設定可能であるか否かについて判定する。この際、時間整合性判定部３４２は、移動時間帯と実行時間帯とが重畳していないか否かを確認する。そして、時間整合性判定部３４２は、両時間帯が重畳している場合には、その重畳した実行時間帯は設定不可能であると判定してステップＳ５１に進む。一方、時間整合性判定部３４２は、両時間帯が重畳していない場合には、その重畳した実行時間帯は設定可能であると判定してステップＳ５７に進む。
【０１０６】
移動時間帯に重畳した実行時間帯が存在し、ステップＳ５１（判定結果表示ステップ）に進んだ場合、時間整合性判定部３４２は、表示制御部３３２に警告情報を出力し、表示制御部３３２は、アラームを表示させる。このアラームとしては、上記同様例えば、図８に示したアラーム表示などが挙げられる。そして、ステップＳ５３に進む。
【０１０７】
ステップＳ５３では、アラーム表示を参照したユーザの操作に応じて、ルート変更を行うためのルート設定情報が旅行プラン作成要求送信部２１０から出力されたか否かを、移動時間設定部３４４が確認する。そして、ルート設定情報を取得した場合、ステップＳ４５以降の処理が繰り返される。一方、ルート設定情報を取得しない場合、ステップＳ５５に進む。
【０１０８】
ステップＳ５５では、実行時間設定部３４１が、アラーム表示を参照したユーザの操作（例えば実行時間設定情報など）に基づいて、移動時間帯と重畳していた実行時間帯を再設定し直す。なお、実行時間設定部３４１は、ユーザの操作に依らずに、自動的に、移動時間帯と実行時間帯とが重畳しないように、実行時間帯を再設定してもよい。この場合、実行時間設定部３４１は、実行時間帯を移動させてもよく、また、実行時間帯の長さを変更してもよい。また、このステップＳ５５は、実行時間設定部３４１による再設定の代わりにか、再設定と共に、実行時間調整部３４３による実行時間帯の再調整が行われてもよい。このステップＳ５５の処理後は、再度ステップＳ４９が処理され、時間整合性判定部３４２は、再設定又は再調整された実行時間帯が設定可能か否かを確認する。
【０１０９】
一方、ステップＳ４９において実行時間帯が設定可能であると判定され、ステップＳ５７へと進んだ場合、このステップＳ５７では、移動時間設定部３４４が、新たに「どのイベント間の移動時間を設定するのか」を表した信号を取得したかを確認する。つまり、他の予測移動時間情報が選択されたか否かを確認する。そして、他の予測移動時間情報が選択された場合、ステップＳ４３以降の処理を再度繰り返す。一方、他の予測移動時間情報が選択されない場合、特に、全ての予測移動時間情報に対して移動時間帯が設定された場合には、ステップＳ５９に進む。そして、ステップＳ５９では、表示制御部３３２が、完成した旅行プランを表示画面に表示させ、旅行プラン作成動作は終了する。
【０１１０】
＜第１実施形態に係る旅行プラン作成システムによる効果の一例＞
以上、本発明の第１実施形態に係る旅行プラン作成システム１００について説明した。この旅行プラン作成システム１００により作成された旅行プランの一例を、図１４のタイムテーブルＴに示す。図１４は、本実施形態に係る旅行プラン作成システムによって作成された旅行プランの一例について説明する説明図である。
【０１１１】
図１４に示すように、旅行プラン作成システム１００は、所定の期間中に１又は２以上のイベントを時系列に沿って配置した旅行プランを作成する。そして、各イベントの間には、移動時間帯を表した移動時間アイコンＴＣ１，ＴＣ２が表示され、旅行プラン作成システム１００は、この移動時間アイコンＴＣ１，ＴＣ２が押下（選択）された場合、イベント間に設定された可能移動時間情報（移動時間帯及び交通手段）を表示画面に表示させることができる。つまり、旅行プラン作成システム１００は、各イベントの実行時間帯間に、移動時間帯を確保しつつ、旅行プランを作成することができる。
【０１１２】
また、旅行プラン作成システム１００は、各イベントの実行時間帯を設定する際に、イベント間の移動に必要な移動時間長を表示することができ、かつ、実行時間帯を所望の時間帯に設定することができる。よって、ユーザは、移動時間長を参照することにより、移動に確保すべきと思われる時間間隔を考慮しつつ、各イベントの実行時間帯を所望の時間帯に設定させることができる。そして、旅行プラン作成システム１００は、設定された実行時間帯が実際に実行可能であるかを判定するので、実際に実行可能な旅行プランを作成することができる。
【０１１３】
また、旅行プラン作成システム１００は、各実行時間帯を一旦設定した後に、実際に移動が可能な移動時間帯を設定することができ、この移動時間帯に基づいて、各実行時間帯が実際に設定可能であるか否かを判定することができる。よって、旅行プラン作成システム１００は、実際に実行可能である旅行プランを作成することができる。
【０１１４】
旅行プラン作成システム１００が実行時間帯の設定時に表示させる移動時間長は、イベントの位置間の距離などか算出できるため、複雑な計算や検索等をせずに容易に算出できる。一方、実際の交通手段を反映して設定される移動時間帯は、交通手段に関する情報を検索したり、移動時間帯を算出するのに、移動時間長に比べれば多少複雑な検索及び計算が必要となる。また、この移動時間帯は、例えばネットワーク経由で移動時間検索エンジン５００から取得するため、その通信に多少の時間を要する。そこで、この旅行プラン作成システム１００は、実行時間帯の設定が繰り返される場合などには、算出が容易な移動時間長を表示させる。そして、旅行プラン作成システム１００は、実行時間帯が一旦設定された後に、移動時間長よりも算出に時間を要するが実際の交通手段を反映した移動時間帯を設定する。これにより、旅行プラン作成システム１００は、ユーザによる操作性を向上させ、かつ、旅行プランの作成を容易にすることができる。
【０１１５】
以上、添付図面を参照しながら本発明の好適な実施形態について詳細に説明したが、本発明はかかる例に限定されないことは言うまでもない。本発明の属する技術の分野における通常の知識を有する者であれば、特許請求の範囲に記載された技術的思想の範疇内において、各種の変更例または修正例に想到し得ることは明らかであり、これらについても当然に本発明の技術的範囲に属するものと了解される。
【０１１６】
例えば、上記実施形態では、移動時間算出部３３４は、位置情報のうち特に緯度情報及び経度情報からイベント間距離を算出し、平均移動速度から移動時間長を算出する場合について説明したが、本発明はかかる例に限定されない。つまり、例えば、移動時間算出部３３４は、緯度情報及び経度情報からイベント間の角度（地球を中心とした角度）を算出し、平均移動速度と同様な平均移動角速度から移動時間長を算出ししてもよい。また、移動時間算出部３３４は、一旦距離や角度を算出する必要はなく、移動時間長が計算できる方法であれば、様々な方法で移動時間長を算出することができる。更に言えば、この移動時間長を算出する際に使用する情報も、緯度情報及び経度情報に限られるものではなく、移動時間長を算出することができる情報であれば様々な情報が使用されてもよいことは言うまでもない。
【０１１７】
また、上記実施形態では、図１２で説明したように、ステップＳ２５で時間整合性判定部３４２により設定不可能であると判定された実行時間帯も、ステップＳ２９で表示される場合について説明した。しかし、本発明はかかる例に限定されず、例えば、ステップＳ１３で設定不可能であると判定された場合には、実行時間帯を設定できなくすることも可能である。この場合、例えば、図１２において、ステップＳ２７の処理後にステップＳ２３を再度処理し直してもよい。
【０１１８】
また、上記実施形態では、イベントリスト作成部３３１により一旦イベントリストが作成され、その後に旅行プランを作成する場合について説明した。このイベントリストは、表示される情報が煩雑となることを防止して、ユーザによる操作性を向上させるなどのために、作成される。従って、旅行プランの作成においては、必ずしも一旦イベントリストを作成する必要性はない。この場合、例えば図３の表示映像Ｍ１中に含まれる複数のイベントのアイコンＩを直接タイムテーブルＴにクリックアンドドロップするなどにより、旅行プランを作成することも可能である。更にこの場合、イベントリスト作成部３３１は必ずしも必要ではない。
【０１１９】
また、上記各実施形態で説明した一連の処理は、専用のハードウエアにより実行させてもよいが、ソフトウエアにより実行させてもよい。一連の処理をソフトウエアにより行う場合、図１５に示すような汎用又は専用のコンピュータにプログラムを実行させることにより、上記の一連の処理を実現することができる。
【０１２０】
図１５は、プログラムを実行することにより一連の処理を実現するコンピュータの構成例を説明するための説明図である。一連の処理を行うプログラムのコンピュータによる実行について説明すれば、以下のようになる。
【０１２１】
図１５に示すように、コンピュータは、例えば、バス６０１と、ＣＰＵ（Ｃｅｎｔｒａｌ  Ｐｒｏｃｅｓｓｉｎｇ  Ｕｎｉｔ）６０２と、記録装置と、入出力インターフェイス６０６と、通信装置６０７と、入力装置６０９と、ドライブ６１０と、出力装置となどを有する。これらの各構成は、バス６０１や入出力インターフェイス６０６等を介して相互に情報を伝達可能に接続されている。
【０１２２】
プログラムは、例えば、記録装置の一例である、ＨＤＤ（Ｈａｒｄ  Ｄｉｓｋ  Ｄｒｉｖｅ）６０３・ＲＯＭ（Ｒｅａｄ  Ｏｎｌｙ  Ｍｅｍｏｒｙ）６０４・ＲＡＭ（Ｒａｎｄｏｍ  Ａｃｃｅｓｓ  Ｍｅｍｏｒｙ）６０５等に記録しておくことがきる。
【０１２３】
また、プログラムは、例えば、フレキシブルディスク、各種のＣＤ（Ｃｏｍｐａｃｔ  Ｄｉｓｃ）・ＭＯ（Ｍａｇｎｅｔｏ  Ｏｐｔｉｃａｌ）ディスク・ＤＶＤ（Ｄｉｇｉｔａｌ  Ｖｅｒｓａｔｉｌｅ  Ｄｉｓｃ）等の光ディスク、磁気ディスク、半導体メモリ等のリムーバブル記憶媒体６１１に、一時的又は永続的に記録しておくこともできる。このようなリムーバブル記憶媒体６１１は、いわゆるパッケージソフトウエアとして提供することもできる。この場合、これらのリムーバブル記憶媒体６１１に記録されたプログラムは、ドライブ６１０により読み出されて、入出力インターフェイス６０６・バス６０１等を介して上記の記録装置に記録されてもよい。
【０１２４】
更に、プログラムは、例えば、ダウンロードサイト・他のコンピュータ・他の記録装置等（図示せず）に記録しておくこともできる。この場合、プログラムは、ＬＡＮ（Ｌｏｃａｌ  Ａｒｅａ  Ｎｅｔｗｏｒｋ）・インターネット等のネットワーク６０８（ネットワーク４００）を介して転送され、通信装置６０７がこのプログラムを受信する。そして、通信装置６０７が受信したプログラムは、入出力インターフェイス６０６・バス６０１等を介して上記の記録装置に記録されてもよい。
【０１２５】
そして、ＣＰＵ６０２が、上記の記録装置に記録されたプログラムに従い各種の処理を実行することにより、上記の一連の処理が、実現される。この際、ＣＰＵ６０２は、例えば、上記の記録装置からプログラムを、直接読み出して実行してもよく、ＲＡＭ６０５に一旦ロードした上で実行してもよい。更にＣＰＵ６０２は、例えば、プログラムを通信装置６０７やドライブ６１０を介して受信する場合、受信したプログラムを記録装置に記録せずに直接実行してもよい。
【０１２６】
更に、ＣＰＵ６０２は、必要に応じて、例えばマウス・キーボード・マイク（図示せず）等の入力装置６０９から入力する信号や情報に基づいて各種の処理を行ってもよい。
【０１２７】
そして、ＣＰＵ６０２は、上記の一連の処理を実行した結果を、例えばモニタなどの表示装置６１２・スピーカやヘッドホンなどの音声出力装置６１３等の出力装置から出力してもよく、更にＣＰＵ６０２は、必要に応じてこの処理結果を通信装置６０７から送信してもよく、上記の記録装置やリムーバブル記憶媒体６１１に記録させてもよい。
【０１２８】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【図面の簡単な説明】
【０１２９】
【図１】本発明の第１実施形態に係る旅行プラン作成システムの構成について説明する説明図である。
【図２】同実施形態に係る旅行プラン作成システムが使用するイベント情報について説明する説明図である。
【図３】同実施形態に係る旅行プラン作成システムが表示画面に表示する表示映像の一例について説明する説明図である。
【図４】同実施形態に係る旅行プラン作成システムが表示画面に表示する表示映像の一例について説明する説明図である。
【図５】同実施形態に係る旅行プラン作成システムが表示画面に表示する表示映像の一例について説明する説明図である。
【図６】同実施形態に係る旅行プラン作成システムが表示画面に表示するタイムテーブルの一例について説明する説明図である。
【図７】同実施形態に係る旅行プラン作成システムが表示画面に表示するタイムテーブルの一例について説明する説明図である。
【図８】同実施形態に係る旅行プラン作成システムが表示画面に表示するタイムテーブルの一例について説明する説明図である。
【図９】同実施形態に係る旅行プラン作成システムが表示画面に表示するタイムテーブルの一例について説明する説明図である。
【図１０】同実施形態に係る旅行プラン作成システムが表示画面に表示するタイムテーブルの一例について説明する説明図である。
【図１１】同実施形態に係る旅行プラン作成システムが表示画面に表示する表示映像の一例について説明する説明図である。
【図１２】同実施形態に係る旅行プラン作成システムの動作の一例について説明する説明図である。
【図１３】同実施形態に係る旅行プラン作成システムの動作の一例について説明する説明図である。
【図１４】同実施形態に係る旅行プラン作成システムによって作成された旅行プランの一例について説明する説明図である。
【図１５】プログラムを実行することにより一連の処理を実現するコンピュータの構成例を説明するための説明図である。
【符号の説明】
【０１３０】
１００    旅行プラン作成システム
２００    旅行プラン要求端末
２１０    旅行プラン作成要求送信部
２２０    旅行プラン受信部
２３０    表示部
３００    旅行プラン作成装置
３１０    通信部
３２１    イベント情報記憶部
３２２    イベント情報登録部
３３１    イベントリスト作成部
３３２    表示制御部
３３３    イベント選択部
３３４    移動時間算出部
３４１    実行時間設定部
３４２    時間整合性判定部
３４３    実行時間調整部
３４４    移動時間設定部
４００    ネットワーク
５００    移動時間検索エンジン
Ａ１，Ａ２，Ａ３，Ａ４    矢印
Ｂ                        バー
ＣＬ                      非開催時間帯
Ｉ                        アイコン
ＩＢ１，ＩＢ２，ＩＢ３    ボックス
Ｌ                        イベントリスト欄
Ｍ１，Ｍ２，Ｍ３          表示映像
ＭＥ                      メッセージ欄
ＯＰ                      開催時間帯
Ｒ                        ルート表示欄
Ｔ                        タイムテーブル
ＴＡ１，ＴＡ２            移動時間
ＴＢ１，ＴＢ２            移動時間アイコン
ＴＣ１，ＴＣ２            移動時間アイコン
【図１】
2009211539.tif 000003
【図２】
2009211539.tif 000004
【図３】
2009211539.tif 000005
【図４】
2009211539.tif 000006
【図５】
2009211539.tif 000007
【図６】
2009211539.tif 000008
【図７】
2009211539.tif 000009
【図８】
2009211539.tif 000010
【図９】
2009211539.tif 000011
【図１０】
2009211539.tif 000012
【図１１】
2009211539.tif 000013
【図１２】
2009211539.tif 000014
【図１３】
2009211539.tif 000015
【図１４】
2009211539.tif 000016
【図１５】
2009211539.tif 000017